(57)【要約】      （修正有）【課題】泥棒や強盗犯人による柄を逆手にとった仕返しができないようにする機構を備えると共に、その機構を外部から認識されることのないサスマタを提供する。【解決手段】泥棒や強盗犯人を捕捉する捕捉部材３と、捕捉部材３と連動する可動部材と、分離可能な柄９Ａ，９Ｂを備え、前記可動部材は分離可能な柄の一方の柄９Ａの中に配され、泥棒や強盗犯人を捕捉部材で捕捉して可動部材が移動すると、前記可動部材が他方の柄９Ｂを押し出すようにして一方の柄９Ａから他方の柄９Ｂを分離する。【選択図】図１
2015001332.tif 000002
【特許請求の範囲】
【請求項１】
泥棒や強盗犯人を捕捉する捕捉部材と、捕捉部材と連動する可動部材と、分離可能な柄を備え、前記可動部材は分離可能な柄の一方の柄の中に配され、泥棒や強盗犯人を捕捉部材で捕捉して可動部材が移動すると、前記可動部材が他方の柄を押し出すようにして一方の柄から他方の柄を分離することを特徴とするサスマタ。
【請求項２】
前記可動部材又は前記分離可能な柄の一方の柄に連結されるとともに、分離可能な柄の他方の柄と連結される連結部材を備えることを特徴とする請求項１記載のサスマタ。
【請求項３】
泥棒や強盗犯人を捕捉する捕捉部材と、捕捉部材と連動する可動部材と、分離可能な柄と、分離可能な柄の一方の柄と他方の柄と連結される連結部材を備え、前記可動部材は分離可能な柄の一方の柄の中に配され、泥棒や強盗犯人を捕捉部材で捕捉して可動部材が移動すると、連結部材を介して分離可能な柄を分離する状態にするか、又は、連結部材を介して分離可能な柄を所定方向に折れ曲げるようにすることを特徴とするサスマタ。
【請求項４】
前記連結部材がワイヤであり、その一端は分離する一方の柄又は前記可動部材に連結され、その他端は分離する他方の柄に連結されていることを特徴とする請求項１記載のサスマタ。
【請求項５】
前記可動部材は、分離する一方の柄の中に配される位置に多数の溝又はギヤが形成され、前記分離する一方の柄の中に係止部材が回転自在に取り付けられ、泥棒や強盗犯人を捕捉して可動部材が移動すると、前記係止部材が多数の溝又はギヤを係止しながら移動するラチェット機構を有することを特徴とする請求項１又は３記載のサスマタ。
【請求項６】
前記可動部材と前記捕捉部材とが軸支され、該軸が前記可動部材又は前記捕捉部材に形成された長穴を介して移動すると、左右一対の連結部材を介して捕捉部材が伸縮するリンク機構を備えることを特徴とする請求項１又は３記載のサスマタ。
【請求項７】
前記可動部材に泥棒や強盗犯人と接触する接触部が設けられ、前記柄の先端側に配される前記可動部材を覆うカバーを備え、前記カバーの一端側は前記接触部に連結されていることを特徴とする請求項１又は３記載のサスマタ。
【発明の詳細な説明】
【技術分野】
【０００１】
本発明は、柄に取り付けられた捕捉部材で泥棒や強盗犯人などを捕捉するサスマタに関する。
【背景技術】
【０００２】
相手の動きを封じ込める武具及び捕具として刺又（サスマタ）がある（刺股、刺叉とも書く）。江戸時代に作られた物であると説明されているものが多いが、江戸時代のものは、Ｕ字形の金具に２〜３メートルの柄がついており、金具の部分で相手の首や腕などを壁や地面に押しつけて捕らえる。元々は暴れる犯罪者の動きを封じ込めるために捕物用として使われた。柄が長いため、ナイフのような小型の刃物や刀などを持った相手と距離をおいて、安全に対応することができるものである。
【０００３】
近年は、サスマタにも種々の改良が施されたものがある。
特許文献１には、胴当て体を介して握体の往復動で開閉するアーム体を有するサスマタであって、前記アーム体を、握体に取り付けの突起部と、その突起部に回動可能に取り付けのテコ体と、その連結体に回動可能に取り付けの半環状体で構成し、前記半環状体を、支点として、前記突起部に設けた回動軸に回動可能に取り付け前記胴当て体を介して握体が復動することによって前記アーム体が閉状態にすることを特徴とするサスマタ。」（請求項１）が記載されている。また、「胴当て体を介して操作棒の往復動で開閉するアーム体を有するサスマタであって、前記アーム体を、半環状体に取り付けの溝と、その溝に歯合する前記操作棒に取り付けの溝とで構成し、前記胴当て体を介して操作棒が復動すると、前記溝によってアーム体を閉状態にすることを特徴とするサスマタ。」（請求項４）と、「請求項２から請求項４のいずれか１項のサスマタであって、握体に内装されている操作棒を復動するとラチェット機構によって不動になることを特徴とするサスマタ。」（請求項５）が記載されている（図１３と図１４参照）。上記ラチェット機構は、外から操作棒を操作して、操作棒を復動させるものである。
【０００４】
特許文献２には、内周に沿って開口を有する二股筒枠体と、二股筒枠体の外側中間部に先端を固定した筒状の柄と、上記の二股筒枠体の内側に、中間部を屈曲形成してなる輪部を配するとともに、輪部以外の部分を上記の柄の中に収納できる長さの捕捉線部材と、二股筒枠体内の適宜箇所に設けて上記の輪部の一部を係脱可能に係止する複数の弾発係止片と、上記の柄の長手方向に形成した長穴から柄の中に下部を配して上記の捕捉線部材の両端部を上記の下部に係止するとともに、上記輪部の径を収縮または拡大するために上記長穴に沿って往復移動可能にかつ所望位置で柄に固定できるようにした収縮操作部材とからなる構成を特徴とするサスマタ形防犯用具。」（請求項１）が記載されている（図１５参照）。
【０００５】
特許文献３には、金属製パイプの長柄及びふたまた部位からなり、長柄取付け部分を中心として、ふたまた部内部へ掛け金部を設けた突出動作可能な可動腕と、可動腕を常に前方へ押圧し突出させる圧縮バネを左右対称に収納して、該取付け部補強金具内部には、可動腕収納用施錠爪と、施錠状態を維持する施錠バネ及び、施錠爪と取付け補強金具外部前面に取り付けられた作動板を接続するシャフトによって構成されており、作動板に押圧が加えられた時点にシャフトを介し、施錠爪が掛け金部より外れ施錠状態を解錠して、ふたまた部内の可動腕が圧縮バネの押圧によりふたまた部先端より突出することを特徴とする可動腕さすまた。」（請求項１）が記載されている（図１６参照）。
【先行技術文献】
【特許文献】
【０００６】
【特許文献１】特開２０１２−１８０９７９号公報
【特許文献２】実用新案登録第３１１２４８５号公報
【特許文献３】特開平７−２２４６７号公報
【発明の開示】
【発明が解決しようとする課題】
【０００７】
しかしながら、上記従来公報は改良等はなされているが、泥棒や強盗犯人などを捕捉部材で捕捉できたとしても、捕捉された犯人が柄を掴んで暴れる事態（捕捉後に犯人と操作者がもみ合い状態）になることがある。すなわち、泥棒や強盗犯人などを捕捉部材で捕捉できたとしても、これら泥棒や強盗犯人がサスマタの柄を握り、操作者を逆に振り回すことがあり、操作者の安全が保たれないという問題を有していた。特に、操作者が女性や子供の場合のように力が弱いと、捕捉された泥棒や強盗犯人が暴れると対応ができないという問題を有していた。
【０００８】
また、従来装置では、捕捉部を円弧形状に形成して、その径を縮小させる機構が設けられているが、頑強性に欠けたり、その機構が外部から理解可能であり、このため泥棒や強盗犯人が当該サスマタの捕捉機能を容易に理解してしまい、上記犯人の反抗に使用される恐れを有していた。
【０００９】
そこで、本発明の目的は、泥棒や強盗犯人による柄を逆手にとった仕返しができないようにする機構を備えると共に、その機構を外部から認識されることがなく、確実に動作する頑強な構造のサスマタを提供することにある。
【課題を解決するための手段】
【００１０】
本発明の第一の発明は、泥棒や強盗犯人を捕捉する捕捉部材と、捕捉部材と連動する可動部材と、分離可能な柄を備え、前記可動部材は分離可能な柄の一方の柄の中に配され、泥棒や強盗犯人を捕捉部材で捕捉して可動部材が移動すると、前記可動部材が他方の柄を押し出すようにして一方の柄から他方の柄を分離することを特徴とする。
本発明によれば、操作者は、柄を手で持ち操作するが、泥棒や強盗犯人を捕捉部材で捕捉すると、捕捉部材と連動する可動部材が移動して、分離可能な柄の他方の柄を押し出すようにして、一方の柄から分離する。したがって、泥棒や強盗犯人による柄を逆手にとった仕返しができなくなる。すなわち、操作者は、犯人を捕捉した後は、柄から手を離して逃げても良い。
【００１１】
本発明の第２の発明は、泥棒や強盗犯人を捕捉する捕捉部材と、捕捉部材と連動する可動部材と、分離可能な柄と、分離可能な柄の一方の柄と他方の柄と連結される連結部材を備え、前記可動部材は分離可能な柄の一方の柄の中に配され、泥棒や強盗犯人を捕捉部材で捕捉して可動部材が移動すると、連結部材を介して分離可能な柄を分離する状態にするか、又は、連結部材を介して分離可能な柄を所定方向に折れ曲げるようにすることを特徴とする。ここで、連結部材としては、ワイヤ、チェーン、スプリング、紐、柔軟性のある合成樹脂や、ゴム材などが使用可能であり、これらを組み合わせ使用することも可能である。
本発明によれば、操作者は、柄を手で持ち操作するが、泥棒や強盗犯人を捕捉部材で捕捉すると、捕捉部材と連動する可動部材が移動して、連結部材が緩み、連結部材の部分から柄が分離したり、柄が折れ曲がった状態にしたりする。
【００１２】
本発明としては、前記連結部材がワイヤであり、その一端は分離する一方の柄又は前記可動部材に連結され、その他端は分離する他方の柄に連結されていることを特徴とする。ワイヤの長さは、柄が分離すると、分離した柄の長さよりも長くなるようにワイヤが配されていることが好ましい。なお、ワイヤは、柄の中に配されることが好ましいが、透明なワイヤや紐を使用して、外部に配することも可能である。
本発明によれば、犯人を捕捉部材で捕捉すると、前記可動部材が移動して、ワイヤを緩ませて、一方の柄と他方の柄が重ね合わせられた柄が分離可能な状態になる。ワイヤを介して分離可能な柄は、その長さが長くなり、一本の連結状態の柄よりも扱いが難しく、犯人は長さの伸びた柄により、これが足枷（足かせ）となり、逃げるのが困難になる。なお、ワイヤの長さを長くしておき、電柱や柵などに引っ掛けるような長さにすることや、ワイヤを犯人の足に絡ませるようにする操作なども可能である。
【００１３】
本発明としては、前記可動部材は、分離可能な柄の中に配される位置に多数の溝又はギヤが形成され、前記分離可能な柄に係止部材が揺動自在に取り付けられ、泥棒や強盗犯人を捕捉して可動部材が移動すると、前記係止部材が多数の溝又はギヤに沿って係止しながら移動するラチェット機能を有することを特徴とする。すなわち、一方向への回転のみを許し逆方向には回転できない構造になっている。
本発明によれば、犯人の腰部などと接触部が接触すると、前記可動部材が柄の中に入り込んで行き、柄の中の溝に係止部材が係止しながら移動するので、可動部材に連結された連結部材が除々に緩んで行き、所定長さ緩んだ長さになると、分離する柄が分離可能な状態になる。すなわち、分離可能な柄の重ね合わせ長さよりも長く連結部材が緩んだ状態になり、これにより後方の柄に入り込んでいた柄が抜け出すことが可能な状態になり、分離可能な柄の状態になる。なお、上記ラチェット機構では、前記溝に沿って逆方向に移動させないかぎり、捕捉部材は開錠しない構造にできる。
【００１４】
本発明としては、前記可動部材と前記捕捉部材とが軸支され、該軸が前記可動部材又は前記捕捉部材に形成された長穴を介して移動すると、左右一対の連結部材を介して捕捉部材が伸長して施錠状態になるリンク機構を備えることを特徴とする。
本発明によれば、軸が長穴に沿って移動するリンク機構を採用するので、頑強な構造で、犯人の腰部などを捕捉するまで径を縮小して行く構造であるとともに、可動部材を確実に移動させることができる。
【００１５】
本発明としては、前記可動部材に泥棒や強盗犯人と接触する接触部が設けられ、前記柄の先端側に配される前記可動部材を覆うカバーを備え、前記カバーの一端側は前記接触部に連結されていることを特徴とする。
この発明によれば、可動部材の構造を外部から認識できなくなり、泥棒や窃盗犯人に操作を見破られるようなことにはならない。
【発明の効果】
【００１６】
本発明の第１の発明によれば、泥棒や強盗犯人を捕捉部材で捕捉すると、捕捉部材と連動する可動部材が移動して、分離可能な柄の他方の柄を押し出すようにして、一方の柄から分離可能な状態にする。したがって、泥棒や強盗犯人による柄を逆手にとった仕返しをされるときには、操作者は、柄を分離してこれを防止することができる。したがって、泥棒や強盗犯人による柄を逆手にとった仕返しができなくなり、安全な操作で泥棒や強盗犯人を捕捉することができる。
【００１７】
また、本発明の第２の発明によれば、泥棒や強盗犯人を捕捉部材で捕捉すると、捕捉部材と連動する可動部材が移動して、連結部材が緩み、連結部材の部分から柄が分離したり、柄が折れ曲がった状態にしたりする。犯人は長さの伸びた柄により、これが足枷（足かせ）となり、逃げるのが困難になる。また、連結部材としてワイヤを用いると、ワイヤを足に絡ませたり、ワイヤを電柱や柵などに引っ掛けるような操作が可能になる。したがって、泥棒や強盗犯人による柄を逆手にとった仕返しができなくなり、安全な操作で泥棒や強盗犯人を捕捉することができる。
【図面の簡単な説明】
【００１８】
【図１】本発明の第１の実施形態のサスマタの柄の分解状態を示す斜視図である。
【図２】上記第１の実施形態のサスマタの捕捉部材を開口させた状態と閉塞した状態を示す斜視図である。
【図３】上記第１の実施形態のサスマタの捕捉部材と可動部材を示す斜視図である。
【図４】上記第１の実施形態のサスマタの捕捉部材と可動部材を示す斜視図である。
【図５】上記第１の実施形態のサスマタを分解した斜視図である。
【図６】上記第１の実施形態の可動部材とカバーを示す平面図である。
【図７】上記第１の実施形態のラチェット機構を説明する平面図である。
【図８】上記第１の実施形態のラチェット機構の他の実施形態を示す平面図である。
【図９】上記第１の実施形態のラチェット機構の他の実施形態を示す平面図である。
【図１０】本発明の他の実施形態を示す平面図である。
【図１１】本発明の他の実施形態を示す平面図である。
【図１２】本発明の他の実施形態を示す平面図である。
【図１３】従来のサスマタを説明する図である。
【図１４】従来のサスマタを説明する図である。
【図１５】従来のサスマタを説明する図である。
【図１６】従来のサスマタを説明する図である。
【発明を実施するための形態】
【００１９】
以下、本発明を適用した具体的な実施の形態について図面を参照しながら詳細に説明する。
【００２０】
（第１の実施の形態）
第１の実施の形態は、図１ないし図６に示すように、本発明のサスマタ１は、分離可能な一方の柄９Ａ，９Ｂと、一方の柄１Ａの先端側において取り付けられる捕捉部材を備える。捕捉部材３は、一方の柄９Ａの先端に溶接される、ほぼＹ字状の支持部４と、支持部４に取り付けられる可動部材２を備え、可動部材２は、支持部４や柄９に対して可動する。なお、柄９の先端側に露出する可動部２の周辺はカバー１０で隠されている。
【００２１】
前記分離可能な柄９Ａ，９Ｂは、その一方の柄９Ａの中に他方の柄９Ｂが入り込むようにして重ね合わされている。本実施の形態の柄９Ａ，９Ｂは、鋼鉄製で、断面が四角形状であるが、円筒状のものを重ね合わせるものでも良い。なお、柄９の他方の柄９Ｂの中に一方の柄９Ａが入り込むようにした重ね合わせでも良い。一方の柄９Ａの先端側には、ほぼＹ字状の支持部４が溶接され、この支持部４に沿って稼動部材が可動する。
【００２２】
可動部材２は、その基端側が一方の柄９Ａの中に入り込んだ状態であり、その先端側が一方の柄９Ａから突出した状態であり、ほぼＹ字状を呈している。可動部材は、犯人を囲むように施錠する左右一対の円弧状の捕捉部材３とともにリンク機構を構成している。これら可動部材２と、左右一対の円弧状の捕捉部材３は、軸２ａで連結され、捕捉部材３と支持部４は、軸２ｅで連結されている。すなわち、本実施の形態のリンク機構２，２ｅ，３，３ａ，４は、可動部材２と捕捉部材３と支持部材４の剛体を回転自在のピン２ｅで結合して、可動部材と捕捉部材の動きと位置が決まるような相対運動を行うようにしたリンク機構であり、可動部材２や捕捉部材３の動きはかなり自由な方向に剛性をもって行うことができるが（Ｙ字状の支持部材４に沿って可動部材と捕捉部材の基端側が移動するが）、結合部の摩擦を小さくして、伝える力の大きさに比べ全体の構造が軽くなり、移動距離や捕捉部材の閉塞動作範囲を容易に調整可能である。
また、可動部材２は、その先端側が弧字状態の接触部２ａを備え、その基端部がいわゆるラチェット機構である。ラチェット機構５，６は、可動部材２の基端側の多数の溝５と、溝５と係止する係止爪６を有する。符号６ａは、係止部材６を一方の柄９Ａの中に取り付ける回転軸である。係止部材６は、一方の柄９Ａに内蔵されて、外部からは認識できない。この可動部材２は、接触部２ａが犯人の腰部等と接触すると、上記ラチェット機構５，６により、他方の柄９Ｂに向かって移動するが、一方向への回転のみを許し逆方向には回転できないようになっている。ラチェット機構５，６としては、内歯車と外歯車が掛止するギヤ機構で構成することも可能である。係止部材６は、一方の柄９Ａに内蔵された状態で、係止爪６ｂが溝５やギヤを係止しながら移動させるが、軸６ａの回転する範囲を設定するなどして、最後の溝５の位置まで移動させるか調整したり、又、軸６ａの回転を規制してロック機構がかかるようにすることができる。
【００２３】
また、可動部材２は、いわゆるリンク機構２ｂにより、捕捉部材３を開口させたり、閉塞（施錠）させたりする。可動部材２は、軸２ｅを介して可動部材２の基端側５と連結されるとともに、捕捉部材３ｃと連結されている。リンク機構２ｂは、柄９Ａの先端側に配される固定部４とバネ３ｃを介して連結されるとともに、捕捉部材３ｃの基端側に形成される長穴３ａに対して軸２ｅを介して連結されている。可動部材２の基端側か、又は、ラチェット機構５，６には、連結部材８が連結されて、連結部材８の他端は、他方の柄９Ｂの中に配された軸２ｅに連結されている。なお、長穴３ａの長さの異なる可動部材又は捕捉部材３を用意しておき、交換して使用すると、捕捉部材３の大きさや形状の異なるものを使用可能であり、交換も容易である。可動部材２の接触部２ａは、支持部４と同じく円弧形状に形成されている。したがって、可動部材２の接触部２ａは、支持部４とその径を合わせるまで、つまり密着するようになるまで移動する。
長穴３ａは、左右一対の捕捉部材３に各々形成されて、軸２ｅを介して、左右一対の捕捉部材３を伸縮動作させると共に、可動部材２の基端側を柄９の下方側に確実に移動させる。すなわち、長穴３ａは、円弧形状の捕捉部材３に沿って各々形成されており、軸２ｅを介して、柄９の中に確実に移動させるとと同時に、円弧状の左右一対の捕捉部材３を伸長動作させて、犯人の腰部などを包囲して施錠する。
【００２４】
連結部材８は、分離する一方の柄９Ａと他方の柄９Ｂを連結させたり、柄９を折り曲げたような状態にしたりするものであり、本実施の形態ではワイヤ８ａが使用されている（図７（ａ）（ｂ））。このワイヤ８ａは、犯人の足に絡ませたり、電柱や柵などに引っ掛けるようにして、犯人の動きを封じる機能も果たす。ワイヤ８ａは、その一端は分離する一方の柄９Ａの中の可動部材２に連結され、その他端は分離する他方の柄９Ｂの中の軸９ｃに連結されている。ここで、ワイヤ８ａは、一本である必要はなく、複数本で連結されるものでも良い。また、後述するスプリング１１と併用することも可能である。ワイヤ８ａを複数本とすると、ワイヤ８ａの強度が増加し、頑強な構造になり、又、スプリング１１を使用すると、分離可能な柄９の他方側９Ｂが折れ曲がるようになったり、他方の柄９Ｂが一方の柄９Ａから飛び出すようにしたりすることができる（図８（ａ）（ｂ））。連結部材８としては、合成樹脂材やゴムを一方の柄９Ａの中に配して、これを可動部材２で可動させても良く、又、透明や紐やワイヤを使用して、外部に配しても認識が難しくなるものを使用しても良い。ワイヤ８ａの一端は、可動部材２の基端側の穴２ｆに連結され、他端は他方の柄の中の軸９ｃに連結されている。なお、ワイヤ８ａの一端は、一方の柄９Ａと連結され、他端は他方の柄の中の軸９ｃに連結されているものでも良い。
【００２５】
カバー１０は、可動部材２を覆って、可動部材２の動きが泥棒や強盗犯人に認識されないようにしている。このカバー１０は、なめし革を使用しており、柄９の色と同じ色である。カバー１０の一端側は接触部２ａに連結されている。そして、接触部２ａが泥棒や強盗犯人の腰などと接触して、可動部材が稼働すると、接触部と。
【００２６】
次に、本実施の形態のサスマタ１の使用方法を説明する。
操作者は、本実施の形態のサスマタ１の柄９Ａ，９Ｂを手で握り操作する。ここで、操作者は、左右の手で一方の柄９Ａのみ握って操作してもよく、又、一方の柄９Ａと他方の柄９Ｂに左右の手を各々握り操作しても良い。
操作者が犯人の腰部などを捕捉部材３で捕捉すると、犯人の腰部などが可動部材２の接触部２ａに接触して、可動部材２の基端側が柄９Ａの中に押し込まれて行く。つまり、軸５が長穴３ａに沿って柄９Ａの方向に移動させてリンク機構５，６を駆動させて捕捉部材３をその径を縮小させる方向に駆動させ、Ｙ字状の可動部材２の先端側では一対の捕捉部材３を伸長するので、円弧状の捕捉部材３が塞いで、犯人を捕捉する。
また、犯人を捕捉すると、犯人の腰部などが可動部材２の接触部２ａに接触して、可動部材２の基端側が柄９Ａの中に押し込まれて行くと、柄９Ａの中のラチェット機構５，６が働き、一段一段と歯やギアを刻みながら柄１Ａの中を可動部材２の基端側が移動して、これにより連結部材（ワイヤ）８が緩んだ状態になる。ワイヤ８が緩むと、これにより重なり合い状態の後方の柄９Ｂに入り込んでいた柄１Ａが抜け出すことが可能な状態になる。なお、円弧状の捕捉部材３は、ばね２ｃの付勢力に抗して閉塞（施錠）する。
ここで、ワイヤ８ａの長さは、分離した柄９を実質的に長くしたりする役割を果たし、このワイヤ８ａは、犯人の足に絡ませたり、電柱や柵などに引っ掛けるようにして、犯人の動きを封じる機能も果たす。このように、一本の棒状の柄９でれば、犯人の力で逆に振り回される危険がありが、ワイヤ８ａであると、或いは、ワイヤ８ａが介在されると、犯人の力がそのまま操作者には伝達しなくなるので、操作者の安全が確保される。
【００２７】
犯人を捕捉した後は、犯人をその施錠状態から開放させなければならないが、捕捉部材３を解錠するためには、外された他方の柄９Ｂを一方の柄９Ａに戻す。この戻す作業をすると、可動部材２が元に位置に戻り（ラチェット機構５，６が元に戻らず）、可動部材２の基端側も元の位置に戻らないが、このために、捕捉された状態の犯人は、そのままの状態であり、また、リンク機構５，６の周辺を触っても、カバー１０に覆われているので、元の開錠状態にはならない。
【００２８】
（第２の実施の形態）
図９（ａ）（ｂ）は、本発明の第２の実施の形態のサスマタ２１であり、この実施の形態は、第１の実施の形態のような連結部材８は使用せずに、分離可能な柄の一方の柄の中で移動する可動部材３が他方の柄９Ｂを押し出すようにして分離可能な一方の柄９Ａから他方の柄９Ｂを分離する。すなわち、分離可能な柄９は、その一方の柄９Ａと他方の柄９Ｂが重なり合うように配されており、泥棒や強盗犯人を捕捉部材３で捕捉すると、捕捉部材３と連動する可動部材２が移動して、分離可能な柄の他方の柄を押し出すようにして、一方の柄から分離する。なお、可動部材２と他方の柄９Ｂの間には、スプリング１１が配されており、可動部材２が稼動すると、一方の柄９Ａから他方の柄９Ｂが飛び出す構造にすることも可能である。
したがって、操作者は、犯人を捕捉部材３で捕捉すると、可動部２が可動するが、前記軸２ｅと長穴３ａを介したリンク機構とラチェット機構により、可動部材２の基端側を確実に他方の柄９Ｂの側に移動させて、他方の柄９Ｂが一方の柄９Ａから分離可能な状態にする。したがって、操作者は、捕捉部材３で犯人を捕捉した後、柄９を介した仕返しなどが生じる場合には、柄を分離して、柄９を介した仕返しができないように、速やかに操作することができる。
【００２９】
（第３の実施の形態）
図１１（ａ）（ｂ）は、本発明の第３の実施の形態のサスマタ３１であり、前記長穴３ａの長さを長くして、可動部材２の移動範囲と、捕捉部材３の移動範囲を大きくするとともに、前記ワイヤ８ａの戻り過ぎを防止するワイヤ戻り規制部材８ｃ，９ｄを設けたものである。すなわち、本実施の形態の捕捉部材３に形成される長穴３ａの長さを長くすると、容易に可動部材２の移動範囲を大きくすることができるが、バネ２ｃを介して前記ワイヤ８ａの戻り過ぎる事態が生じるので、一方の柄９Ａの端部に波型の掛止部９ｄを形成すると共に、この掛止部９ｄに掛止する錘８ｃを設けたものである。錘８ｃは所定間隔ごとに設けられて、段階的に停止させる構造である。
また、本実施の形態の捕捉部材３に形成される長穴３ａの長さを長くすると、容易に捕捉部材３の移動範囲を大きくすることができるので（図１１（ａ））、大きな拡開状態になるとともに、円弧形状の捕捉部材３を幅狭に、つまり円弧形状の捕捉部材３の先端部が交差するように形成することができる（図１１（ｂ））。したがって、コンパクトにして収納したり保存したりすることができる。
【００３０】
以上、本実施の形態では、泥棒や強盗犯人の腰部を捕捉部材で捕捉する場合で説明したが、本発明によれば、足や腕などを捕捉するものでも良いことは勿論である。また、本願発明は、分離する柄９を採用することから、分離する柄の中に、画鋲などを収納しておき、柄９が分離すると、画鋲などを撒き散らして、泥棒や強盗犯人の動きを抑制するようにすることも可能である。また、分離する一方の柄９Ａと他方の柄９Ｂに各々可動部材２と捕捉部材３を取り付け、手錠のように用いることも可能である（図１０）。このように、本発明は、種種の変更使用が可能である。
【符号の説明】
【００３１】
１，２１，３１    サスマタ、
２    可動部材、２ａ  接触部、２ｅ  軸、５  溝（ギヤ）、
３    捕捉部材、３ａ  捕捉部材、３ａ  長穴、３ｃ  バネ，
６    係止部材、６ａ  軸、  ６ｂ  係止爪、
２，２ｅ，３，３ａ    リンク機構、
５，６    ラチェット機構、
８，８ａ          連結部材（ワイヤ）、
９，９Ａ，９Ｂ        柄（分離可能な柄）、９Ａ  一方の柄、９Ｂ  他方の柄、
１０  カバー、
１１  スプリング
【図１】
2015001332.tif 000003
【図２】
2015001332.tif 000004
【図３】
2015001332.tif 000005
【図４】
2015001332.tif 000006
【図５】
2015001332.tif 000007
【図６】
2015001332.tif 000008
【図７】
2015001332.tif 000009
【図８】
2015001332.tif 000010
【図９】
2015001332.tif 000011
【図１０】
2015001332.tif 000012
【図１１】
2015001332.tif 000013
【図１２】
2015001332.tif 000014
【図１３】
2015001332.tif 000015
【図１４】
2015001332.tif 000016
【図１５】
2015001332.tif 000017
【図１６】
2015001332.tif 000018